(57)【要約】【課題】  本発明は、空港等のように搭乗を予約した状態で空港に入ると自動的に予約状態を確認し、待ち時間無しに直ちに搭乗できるようにする出入管理システムに関する。【解決手段】  本発明の出入管理システムは、個人が携帯できるように構成されると共に、携帯する人の認識コードが記憶されてブルートゥース通信モジュールや接触式或いは有線通信ポートを通じて外部と通信できるように構成された携帯用電子身分証と、上記電子身分証のブルートゥース通信モジュールや接触式或いは有線通信ポートと通信できるように構成されると共に、出入地域に所定間隔で多数設置された通信モジュールと、出入者の身元を確認するための端末と、通信モジュールより上記電子身分証に記憶された認識コードの伝送を受けて予め登録された情報と比較して予約確認、身元確認等を遂行すると共に、その情報を上記端末に提供する出入管理サーバーで構成されて使用者の電子身分証の役割を遂行すると共に両方向に通信できる。
2005526326.tif 000002
【特許請求の範囲】
【請求項１】
個人が携帯することができ、携帯する人の認識コードが記憶されてブルートゥース（ｂｌｕｅｔｏｏｔｈ）通信モジュールや接触式或いは有線通信ポートを通じて外部と通信することができるように構成された携帯用電子身分証と、上記電子身分証のブルートゥース通信モジュールや接触式或いは有線通信ポートと通信することができるように構成されると共に、出入地域に所定間隔で多数設置された通信モジュールと、出入者の身元を確認するための端末と、上記ブルートゥース通信モジュールより上記電子身分証に記憶された認識コードの伝送を受けて予め登録された情報と比較して予約確認、身元確認等を遂行すると共に、その情報を上記端末に提供する出入管理サーバーで構成されることを特徴とする電子身分証を利用した出入管理システム。
【請求項２】
上記出入管理システムは、空港出入管理システムか港湾出入管理システム、バス出入管理システム、統制区域出入管理システム、身元照会システム等に利用され、上記空港出入管理システムに利用する場合、空港全体に多数のブルートゥース通信モジュールを所定間隔で設置し、電子身分証を所持した乗客の現在状況を把握するために、両方向に通信することができるように構成されたことを特徴とする請求項１記載の電子身分証を利用した出入管理システム。
【請求項３】
上記出入管理システムは、上記電子身分証を所持した使用者に案内情報を提供するための掲示板を更に具備して両方向に通信することができるのを特徴とする請求項２記載の電子身分証を利用した出入管理システム。
【請求項４】
上記電子身分証は所定の認識情報が記憶されたメモリと、上記ブルートゥース通信モジュールに連結されて伝達されるデータを暗号化するための暗号化処理部と、所定の手順に従い上記メモリに記録された認識情報を上記暗号化処理部に伝達して上記ブルートゥース通信モジュールを通じて上記出入管理サーバーに伝送するように制御する中央処理装置で構成されたことを特徴とする請求項１又は請求項２記載の電子身分証を利用した出入管理システム。
【請求項５】
上記電子身分証は、上記電子身分証を紛失した場合、他人が使用することができないように秘密コードや使用者確認情報を入力することができる入力部を更に具備し、上記中央処理装置は秘密コードや使用者確認情報が一致する場合にのみ動作するように制御することを特徴とする請求項４記載の電子身分証を利用した出入管理システム。
【請求項６】
個人が携帯することができるように構成されると共に、携帯する人の各種情報が記憶された認識コードが記憶されてブルートゥース通信モジュールや接触式或いは有線通信ポートを通じて外部と通信することができるように構成された電子身分証と、上記電子身分証のブルートゥース通信モジュールや接触式或いは有線通信ポートと通信することができるように構成されると共に、ドア近接位置に設置された多数の通信モジュールと、上記した通信モジュールで伝送された情報を予め記憶された記憶情報と比較して、ドアのロック装置をＯＮ／ＯＦＦさせることができるように設置された中央コンピュータで構成されたことを特徴とする電子身分証を利用した出入管理システム。
【発明の詳細な説明】
【技術分野】
【０００１】
本発明は、電子身分証を利用した出入管理システムに関するもので、より詳細には、空港等のように搭乗を予約した状態で空港、船着き場等に入ると、自動的に予約状態を確認し、待ち時間無しに直ちに搭乗できるようにして、これにより時間浪費を減少し、空港が込み合うのを防止できる出入管理システムに関する。
【背景技術】
【０００２】
一般的に、空港、船着き場等のように乗客が搭乗を予め予約した状態で予約された時間に空港、高速バスターミナルに行って搭乗しようとすれば、予約状況をチェックし、空港の場合、航空券と搭乗券（Ｂｏａｒｄｉｎｇ  Ｐａｓｓ）の発給を受けた後、別途の搭乗手続きを介さなければならない。即ち、航空機に搭乗するためには旅行社、インターネット等を通じて該当航空会社に予め望む航空機を予約した後、搭乗日に空港に行って搭乗手続きと出国手続きを終えて航空機に搭乗するようになる。
【０００３】
このような搭乗・出国手続きをするためには本人確認、予約確認、身元確認等のような多くの手順が必要であるばかりでなく、多くの人達が一度に押し寄せるので比較的多くの時間が必要になる。即ち、空港を利用する場合にチェックインデスクで航空券（旅券を含む）を提示して搭乗券の発給を受け、更に空港利用料等を納付しなければならないし、税関で物品を申告し、貨物を送り、出国審査を受ける等の手順が必要である。
【０００４】
従って、通常、航空機に搭乗するためには出発２時間前に空港に到着して上記した搭乗・出国手続きを終えた後、乗客待合室で待たなければならない。尚、搭乗・出国手続きを受けるためには多くの人達が列を作って待たなければならないため、各段階別に多くの時間が必要となり、空港に２時間前に出て来なければ搭乗が難しくなる。
【０００５】
しかし、このように、空港を利用するために予め予約をし、予約した日に合わせて出発２時間前に空港に行って搭乗・出国手続きをするようになると、乗客の時間が単に搭乗のみのために２時間以上所要されて時間浪費が非常に甚だしい問題点がある。即ち、２時間前に空港に到着して搭乗・出国手続きを終えると、時間が余っても別にすることが無いので空港の待合室で待たなければならないために、実質的に時間の浪費が非常に甚だしくなる。
【０００６】
多くの人達が空港において搭乗・出国手続きをしなければならないため、全体の時間浪費は飛躍的に増大する。例えば一日の空港利用客を１０万人とすると、１日２０万時間が浪費されることになり、人々にとっての多大なる時間浪費の原因となる。
【発明の開示】
【発明が解決しようとする課題】
【０００７】
従って、本発明の目的は上記した問題点を解決するためのもので、乗客が予約をした後、空港に２時間前迄に到着しなくても搭乗・出国手続きを迅速にすることができるようにしたことで、出発の何分か前に到着しても搭乗できるようにした電子身分証を利用した出入管理システムを提供することにある。
【０００８】
尚、本発明の他の目的は、乗客が広い空港の何処にいるかを確認して出国時間等を知らせてくれるようにすると共に、実際に搭乗可能か否かを確認できる出入管理システムを提供することにある。
【課題を解決するための手段】
【０００９】
これらの目的を実現するために、本発明では、携帯用認識モジュールを携帯する人の認識コードが記憶されてブルートゥース通信モジュールを通じて外部と通信する携帯用認識モジュールと、空港等の進入路に携帯用認識モジュールのブルートゥース通信モジュールで通信することができるように所定の間隔で多数設置されたブルートゥース通信モジュールと、上記したブルートゥース通信モジュールから通信信号の伝送を受けて予めメモリ又はハードディスク等に記憶された予約者情報と比較しながら予約確認、身元確認等を遂行する中央コンピュータよりなる出入管理システムが提供される。
【発明を実施するための最良の形態】
【００１０】
以下に、本発明の好適な実施例を、添付図を参照して説明する。以下の説明及び図面において、同じ或いは類似要素を表すのには同じ参照符号を用い、同じ或いは類似要素についての説明の繰り返しは省略した。
【００１１】
図１は本発明による出入管理システムが設置された空港の一例を図示した概略図で、空港の駐車場（１１）と空港内部のところどころにブルートゥース通信のためのブルートゥース通信モジュール（ＢＭ）（２０）が設置されて使用者が携帯して持ち歩く電子身分証（携帯用認識モジュール：１００）と出入管理サーバー（空港中央コンピュータ：図２の２２０）間を無線で通信がなされるようにされている。本発明の実施例では使用者の身分を確認するためのデスクが多数場所に分散されて各々なされることを説明したが一つのデスクで一括的に確認して処理することもできる。
【００１２】
図１を参照すると、空港はチェックインのための発券デスク（１２）と貨物を処理するための貨物デスク（１３）、出国者身元を確認するための身元確認デスク（１４）、各ゲート（１７）を通じて搭乗する乗客を確認するための搭乗確認デスク（１５）、各種情報を提供するための掲示板（１６）等が設置されており、各デスクには空港管理サーバー（２２０）と有線や無線で連結されたコンピュータ端末（図２の２１０−１〜２１０−４）が配置されている。本発明の実施例では各コンピュータ端末（２１０−１〜２１０−４）と電子身分証（１００）がブルートゥース方式で通信するようになっており、これのために各端末はブルートゥース通信モジュール（２０）を具備している。ブルートゥース通信モジュール（２０）は空港のところどころに設置されると共に掲示板（１６）等にも設置されて無線近距離通信網を形成している。
【００１３】
また、空港に入る進入路と駐車場等にも所定間隔で多数のブルートゥース通信モジュール（２０）が設置されており、出入管理サーバー（図２の２２０）がブルートゥース通信モジュール（２０）からの通信信号の伝送を受けて予めメモリ又はハードディスク等に記憶された予約者情報と比較しながら予約確認、身元確認等を遂行する。この時、予約者情報は乗客が旅行社又はインターネットで予約をする時入力する情報で、このような情報は、旅行社で予約する場合は旅行社職員が空港の出入管理サーバー（２２０）に伝送して入力し、インターネットで航空会社に直接予約する場合には乗客本人が直接タイプして入力する。
【００１４】
図２は図１に図示された出入管理システムの構成を図示したブロック図で、各デスクに設置される身元確認端末（２１０−１）と搭乗確認端末（２１０−２）、発券端末（２１０−３）、掲示板（２１０−４）、電子身分証（１００）がブルートゥース無線網（２０２）を通じて出入管理サーバー（２２０）と連結されている。そして出入管理サーバー（２２０）はインターネット等のような有線／無線通信網（２０４）を通じて他の空港の出入管理サーバー（２４０）や航空会社サーバー（２３０）、旅行社サーバー（２５０）、警察庁サーバー（２６０）等に連結されている。本発明の実施例では各端末（２１０−１〜２１０−３）及び掲示板（２１０−４）と出入管理サーバー（２２０）がブルートゥース通信網（２０２）で連結されるものを説明したが別途の無線近距離通信網（ＬＡＮ）やイーサネット（登録商標）等のような同軸或いは光ケーブル近距離通信網で連結することもできる。
【００１５】
このように、空港全体と、乗客が飛行機に乗る出国場等には多数のブルートゥース通信モジュール（２０）が設置されており、これを通じて電子身分証（１００）の情報が出入管理サーバー（２２０）に伝送されるようになっている。従って出入管理サーバー（２２０）には多数のブルートゥース通信モジュール（２０）と乗客が所持した携帯用電子身分証（１００）が随時に通信することで、乗客の現在位置を知らせる情報が記憶される。
【００１６】
携帯用電子身分証（１００）は、図３ａに図示されるように、入力部（１０２）、電源部（１０４）、表示部（１０６）、データ／パワーバス（１０８）、中央処理装置（ＣＰＵ：１１０）、ＲＯＭ（１１２）、フラッシュメモリ（１１４）、暗号処理部（１２０）、ブルートゥースモジュール（１３０）、ＲＦアンテナ（１３２）、入出力部（Ｉ／Ｏ：１４０）で構成されている。即ち、ブルートゥース通信モジュール（１３０）が内装されると共に電池が収納されており、中央処理装置（ＣＰＵ）（１１０）とＲＯＭ（１１２）、ＲＡＭメモリ（１１４）が設置されて出入管理サーバー（２２０）とブルートゥース方式で両方向に情報を送受信するように構成されている。
【００１７】
ブルートゥース通信モジュール（１３０）と中央処理装置（ＣＰＵ）（１１０）が通信するためにはＭＯＤＥＭ−ＡＳＩＣ等のデータ処理装置又はブルートゥース通信中継器が必要であり、使用者の認識コード（身元情報、出国に必要な兵務記録、犯罪事実等のような各種情報）はＲＡＭ（又はフラッシュメモリ）（１１４）に記憶される。ここで、本発明の電子身分証に記録された認識情報は、住民登録証のような身分確認情報は勿論、運転免許証情報、旅券情報、各種資格証情報等、全ての情報等が統合されて構成され、必要により入力部（１０２）を通じて所定の身分証を選択して出力することができる。
【００１８】
ブルートゥース通信モジュール（１３０、２０）は通常１００ｍ以内の距離で通信が可能であるため、空港に多数のブルートゥース通信モジュール（２０）を設置する時は互いに混信しないようにその間隔を最適化する必要がある。尚、ブルートゥース通信モジュール（２０）は通常１０００余個のチャンネルを使用し、これを通じて携帯用電子身分証（１００）に設置されたブルートゥース通信モジュール（１３０）と空港に設置されたブルートゥース通信モジュール（２０）が通信するようになる。
【００１９】
尚、電子身分証（１００）には、携帯用電子身分証（１００）を紛失した場合、他人が使用できないように秘密コードを設定できる秘密コードスイッチ、又は指紋認識、又は虹彩認識等のような生体情報を入力するための入力部（１０２）が設けられており、外部と通信時に電子身分証（１００）に記録された認証情報を暗号化するための暗号化処理部（１２０）が具備されている。従って電子身分証（１００）と外部の出入管理サーバー（２２０）間に伝達される情報は全て暗号化されるので中間でハッキング又は盗聴されるのを防止することができる。
【００２０】
中央処理装置（１１０）はメモリに記憶されたプログラムを実行して入力部（１０２）の入力に従い動作を制御するが、電池の消費電力を減少させるために電源部（１０４）を制御し各部に供給される電力を制御する。そして電子身分証（１００）を使用する場合には図３ｂに図示されたように、秘密コードや使用者を確認するための生体情報等を入力して（ステップ３０１、３０２）、一致する場合にのみ、予め記録された固有の認識情報を暗号処理部（１２０）で暗号化してブルートゥース通信モジュール（１３０）を通じてアンテナ（１３２）に送信されるようにする（ステップ３０３、３０４）。もし必要であれば、電子身分証（１００）の動作状態は表示部（１０６）を通じて表示される。
【００２１】
入出力装置（Ｉ／Ｏ：１４０）は接触式無線通信ポート或いはＵＳＢやＲＳ２３２Ｃ等のような有線通信ポートで、ブルートゥースモジュールに依る通信が困難な場合に外部装置と接触式或いは有線で通信するための装置である。この時、入出力装置を通じて出力される認識情報も暗号処理部（１２０）により暗号化されたものである。本発明の実施例では、通信媒体としてブルートゥース通信モジュールを説明したが、他の機密保護モジュールを利用することもできる。
【００２２】
表示部（１０６）は、電子身分証（１００）の動作状態を表示すると共に外部装置（サーバー）と両方向に通信して各情報を表示することができ、図面には示していないがイヤーマイク等を利用して管理者と両方向通話をすることもできる。
【００２３】
上記したように構成される本発明の作用効果を、図４ａ及び図４ｂを参照して説明すると次の様である。
【００２４】
図４ａは本発明の出入管理システムに依る出国手順を図示した順序図である。
【００２５】
先ず、旅券や（必要であれば）ビザの発給を受ける（ステップ４０１）。この時、ビザ発給情報はインターネット（２０４）を通じて出入管理サーバー（２２０）等、関連サーバーに伝達される。旅行社又はインターネット等を通じて予め航空券を前売りし、予約時に旅行社等で搭乗者の個人情報を航空会社のメインコンピュータ又は出入管理サーバー（２２０）に入力させる（ステップ４０２、４０３）。
【００２６】
搭乗時間が近くなり、乗客がこの電子身分証（１００）を持って自動車に乗って空港進入路に入って来ると、乗客が所持した携帯用電子身分証（１００）と進入路に設置された多数のブルートゥース通信モジュール（２０）が互いに通信をするようになる（ステップ４０４〜４０６）。
【００２７】
携帯用電子身分証（１００）と進入路に設置されたブルートゥース通信モジュール（２０）が互いに通信をするようになると、携帯用電子身分証（１００）のＲＡＭ又はフラッシュメモリ（１１４）に記憶されている個人情報を含む認識情報がブルートゥース通信モジュール（２０）を通じて出入管理サーバー（２２０）に伝送される（ステップ４０７）。
【００２８】
ここで、空港進入路や駐車場に設置された多数のブルートゥース通信モジュール（２０）は、乗客が移動するに伴って順次携帯用電子身分証（１００）と通信するようになるため、ブルートゥース通信モジュール（２０）と接続される携帯用電子身分証（１００）の移動状態に従い、乗客が空港に入って来るのか又は出て行くのかを知ることができる。
【００２９】
乗客の携帯用電子身分証（１００）から認識コードが出入管理サーバー（２２０）に送信されると、出入管理サーバー（２２０）は、予め記憶されている予約者情報を呼び出してその乗客が予約をした人であるか否かを判別する（ステップ４０８）。    
【００３０】
判別後、予約をした人であれば、予約状況を呼び出すと共に搭乗手続きを受けるチェックインデスクのコンピュータ（２１０−３）に伝送する。これに従い、チェックインデスクの発券端末（２１０−３）に現在空港に入って来る予約者情報が伝送されると、この情報は発券端末（２１０−３）で待機状態になるようにする（ステップ４０９）。即ち、現在空港に乗客が入って来る状態で、予め乗客の予約状況を把握してチェックインデスク（１２）に伝送し、搭乗券購入可否及び航空券とこれを所持した人の対照を準備するのである。
【００３１】
このような待機状態は、各航空会社別に準備された多数のチェックインデスクにおいて同時に維持される。この状態では、チェックインデスクで直ちに搭乗券が出力待機状態（又は予め出力される。この場合にはチェックインデスクに現在出力された搭乗券の乗客が誰かを別途の電光板等に名前が表記されるようにする）で維持される。
【００３２】
この状態で乗客が空港ラウンジに入って来てチェックインデスク（１２）に近づくと、チェックインデスクに設置されたブルートゥース通信モジュール（２０）が携帯用電子身分証（１００）のブルートゥース通信モジュール（１３０）と通信するようになる。チェックインデスク（１２）に設置されたブルートゥース通信モジュール（２０）が携帯用電子身分証（１００）と通信するようになると、携帯用電子身分証（１００）で伝送された認識コードに従い、現在待機中である乗客の情報と対照し、対照作業時符合する情報があればその乗客の情報を画面に迅速に表示する（ステップ４１０）。    
【００３３】
乗客の情報が画面に表示されると、チェックインデスクを担当する職員が航空券を提出する乗客と画面の情報及び画面に表示される顔をチェック（身元確認）し、一致すれば支払い要請し、これに従い乗客は代金決済装置やクレジットカード、現金等で費用を支払い、支払い確認後、直ちに搭乗券を出力するか又は出力されている搭乗券を該当乗客に渡す（ステップ４１１、４１２）。この時、ビザ発給及び予約過程に搭乗者の情報が関係機関及び入国側の出入管理サーバー（２４０）に予め伝送されているので、入国側や関係機関では該当乗客に対する入国許容可否を予め該当航空会社や出国側出入管理サーバー（２２０）に通報してやることで入国が許容されない場合には、これを乗客に予め知らせて発券を延期するか取り消すようにする。従って本発明に依れば、出国者が目的地の入国過程で拒否されるのを未然に防止し、適切な措置を取ることができる。本発明による電子身分証を所持した人の場合、発券過程では別途の画面対照確認過程を省略し、搭乗過程か、或いは出国過程のどこか一個所でのみ画面と対照するのが望ましい。
【００３４】
搭乗券を受け取った乗客は税関申告、兵役申告、貨物送り等を別途に遂行するが、各々の申告をする時にも各々のデスク（窓口）（１３）に設置されたブルートゥース通信モジュール（２０）と乗客が携帯している携帯用電子身分証（１００）がブルートゥース通信することで、非常に簡単に各々の過程を進行できるようになる（ステップ４１３）。即ち、搭乗券の発券手続きと同様に、携帯用電子身分証（１００）を持っている乗客が各々の検査台に移動すれば、検査台に設置されたブルートゥース通信モジュール（２０）と互いに通信しながら乗客が検査台に近接する前に予め乗客に対する情報がＬＣＤ画面に表示される。これに従い、出入及び身元を検査する人は単にＬＣＤ画面情報と乗客が一致するかのみをチェックすれば良いので非常に迅速に検査をすることができる。
【００３５】
上記のように搭乗・出国手続きが完了されると、乗客は出国場に移動して身元確認デスクで出国審査を受ける。この時、出国審査も電子身分証（１００）により身元確認端末（２１０−１）に出国者の情報が表示されているので旅券のみを提示すれば出国審査台のＬＣＤ画面に表示されている情報を基礎に簡単に照会することができる（ステップ４１４）。
【００３６】
出国場に入って行った乗客は、従来のように残り時間を出国場ラウンジで待つ必要が無く、直ちに航空機に搭乗することで、航空機搭乗に所要される時間を数十分程度に減らすことができる。即ち、空港に入って行く乗客を空港入口から感知して、感知された乗客が航空機に搭乗するまでの全ての手順を予め準備するようにしたことで、乗客が非常に早い時間内に航空機に搭乗出来るようにしたものである。
【００３７】
この時、上記した出国場に設置されたブルートゥース通信モジュール（２０）が、乗客が所持した携帯用電子身分証（１００）と通信をするようになり、ブルートゥース通信モジュールを通じて出入管理サーバー（２２０）は乗客が無事に航空機に搭乗したかをチェックするようになる（ステップ４１５、４１６）。即ち、出国場に設置されたブルートゥース通信モジュールの間隔を比較的狭くして、互いの間の混信等を防止するように出力を下げるようにすれば、出国場で携帯用電子身分証（１００）とブルートゥース通信モジュールが通信する経路を検討して乗客が航空機に搭乗したか否かを知ることができるのである。
【００３８】
上記したように空港全体に所定間隔でブルートゥース通信モジュール（２０）が設置されておれば、乗客が所持した携帯用電子身分証（１００）と間欠的に通信することで、出入管理サーバー（２２０）を通じて乗客が現在どの位置にいるかを知ることができ、予約された航空機に迅速に搭乗できるようになる。即ち、乗客がゲートを誤って探していたり、とんでもない位置にいたりすれば、搭乗者の位置情報を利用して、適当な掲示板（１６）に乗客を正常位置に誘導するための情報を掲示して、搭乗者が正常な搭乗経路に進行することができるようにすることができる。
【００３９】
続いて該当ゲートで搭乗すれば、搭乗確認端末（２１０−２）を通じて該当情報が出入管理サーバー（２２０）に伝送され、出入管理サーバー（２２０）は搭乗事実をインターネット（２０４）等を通じて航空会社のサーバー（２３０）や入国側空港の出入管理サーバー（２４０）及び関係機関サーバーに伝送する（ステップ４１５〜４１７）。これにより搭乗者が到着する空港でも搭乗者の身元確認を迅速に処理することができる。
【００４０】
図４ｂは本発明による出入管理システムに依る入国手順を図示した順序図である。
【００４１】
図４ａに図示されたような出国手順がなされると搭乗者の情報（入国者情報）が出国側出入管理サーバー（２２０）より入国側出入管理サーバー（２４０）にインターネット（２０４）等を利用して伝送される（ステップ４２１）。    
【００４２】
航空機が到着して使用者が入国場に進入すると、入国場に設置されたブルートゥース通信モジュールと電子身分証（１００）が通信して使用者の認識情報が入国側出入管理サーバー（２４０）に伝達される（ステップ４２２、４２３）。この時点で、入国側出入管理サーバー（２４０）には、ビザ発給に対する情報や国際警察機関等に依る各種情報が記憶される。
【００４３】
入国側出入管理サーバー（２４０）は電子身分証より受信された使用者の認識情報を基礎に入国者情報を検索して、身元、及びビザを確認する（４２４）。続いて確認された情報は入国場に設置された端末に伝達され、入国場では身元確認結果に従い入国を許可するか関係機関に通知して適切な措置を取るようにする（ステップ４２６、４２７、４３０）。
【００４４】
入国が許可されると関連航空会社に情報が伝達され、航空会社は入国者の認識情報により該当貨物を探すことが出来るようにする（ステップ４２８）。入国手続きが全て完了すると、該当使用者の入国情報が関連機関のサーバーに伝送される（ステップ４２９）。
【００４５】
このように、本発明による携帯用電子身分証（１００）を全ての乗客が携帯して行き来するようになれば、携帯用電子身分証（１００）がブルートゥース通信モジュール（２０）を通じて予め出入管理サーバー（２２０）と通信しながら乗客の認識コード（個人情報等）を伝送してチェックインデスクの画面に乗客情報を表示させた状態で全ての検査事項をチェックすることで、乗客が待ち時間無しに  非常に迅速に搭乗手続き、出国手続き、及び入国手続きを終えることができるようになる。そして乗客の搭乗手続き、出国手続き、及び入国手続きが非常に迅速になされると、多数の乗客が待つ必要も無く、多くの人達が待つことによる時間浪費を防止することができる。即ち、搭乗手続き、出国手続き、入国手続き等が非常に早い時間内になされるようになれば、乗客が手順を通過するために列を作って立つか待つのに掛る時間浪費を減少させ、空港で２時間程度を無駄使いするのを防止できるようになる。
【００４６】
図５ａ及び図５ｂは本発明による電子身分証を利用した出入統制装置の例である。
【００４７】
本発明の電子身分証はアパートの玄関出入や事務室勤退管理等、多様な分野で応用することができる。即ち、図５に図示したように、ブルートゥース通信が可能な出入統制端末（５１０）がドアロック装置（５２０）と連結されており、電子身分証（１００）が出入統制端末（５１０）に登録された場合に、電子身分証（１００）を携帯した使用者が接近すると電子身分証（１００）と出入統制装置（５１０）間に通信がなされて正常に認証されると出入統制装置（５１０）がドアロック装置（５２０）を制御してロック解除するようになる（ステップ５０１〜５０４）。従って使用者は非常に便利にアパートの玄関等、ロック施設が設置された所に出入することが出来る。
【００４８】
本発明はアパートの玄関ばかりでなく自動車のドアロック装置に応用されて、本発明による電子身分証でドアロック及びドアロック解除、エンジンの始動等を制御することができる。
【００４９】
図６は本発明による電子身分証を利用した身元照会手順を図示した順序図である。
【００５０】
図６を参照すると、ブルートゥース通信が可能な身元照会端末（６１０）を携帯している警察官が、急に、任意の人を検問するか身元を確認する必要が有れば、警察官は使用者に住民登録証を要求する。これに従い使用者は携帯している電子身分証（１００）のボタンを押して身元照会端末（６１０）とブルートゥース方式で通信がなされるようにし、ブルートゥース通信を通じて使用者の認証情報が身元照会端末（６１０）に伝送されると、警察官は身元照会端末（６１０）の情報を利用して使用者の身元を確認することができる。従って非常に迅速、正確で便利に身元照会を処理することができる。
【００５１】
以上の実施例では空港を管理するシステムを一例にして説明したが、本発明は予約が必要な国家間横断船舶ターミナル、国家間横断バスターミナル、国家間横断鉄道駅等他の出入管理システムでもそのまま適用することができる。
【００５２】
出入管理サーバー、多数のブルートゥースモジュール、携帯用電子身分証で出入管理システムを構成し、一般会社の出入システムとして使用する場合に、職員が単に携帯用電子身分証のみを所持してドアに接近するとブルートゥース通信モジュールと通信して中央コンピュータが身元を確認してドアロック装置をＯＮ／ＯＦＦさせることで、簡便に出入を統制することができる。従って一般的な指紋認識やマグネチックカード等を使用しなくても無線で出入保安システムを実現することができる。
【００５３】
以上のように、本発明によれば、空港で航空機に乗るために予約をして航空券を購入した後、空港に行って搭乗券の発給を受けて各種手続きをするために２時間前に空港に出て来る必要無しに、何十分かだけ前に空港に来ても携帯用ブルートゥース認識モジュールが空港に設置されたブルートゥース通信モジュールと通信しながら個人情報等を自動的に確認するようにし、搭乗・出国手続きを予め画面に表示されている情報を見て本人確認のみをするようにしたことで、空港を通じた出国時の時間浪費を最小化することができる。
【００５４】
加えて、上記したように空港を通じて出国する時、空港で待つ時間が大幅に縮小されることで、多くの人達が待たずに航空機に搭乗できるようになり、空港の待合室が必要以上に大きくなくても良く、空港の空間をより効率的に使用することができる。さらに、携帯用認識モジュールと空港に多数設置されたブルートゥース通信モジュールが通信を継続するようになることで、乗客が現在、手続きのどの状態であるか、どの場所にいるのかを容易に把握することができる。
【００５５】
本発明の好ましい実施例が、説明の目的のために記述されたが、当該技術に熟練している人々は、様々な修正、付加および代用が、添付の特許請求範囲で開示されるような発明の範囲および精神を離れることなく可能であることを認識するであろう。
【産業上の利用可能性】
【００５６】
本発明による出入管理システムは、空港や港湾等のように人々の往来が多く、出入者を統制する必要がある場所の出入管理システムに適用されてより迅速に出入手順を処理することができる。また、本発明は、会社の勤退管理及び保安システムに適用されることができ、アパート出入口や保安が必要な場所の出入統制システムにも適用することができ、さらにまた、各種身分証が必要な身元照会にも使用することができる。
【図面の簡単な説明】
【００５７】
【図１】本発明による出入管理システムが設置された空港の例を図示した概略図である。
【図２】図１に図示された出入管理システムの構成を図示したブロック図である。
【図３ａ】本発明による電子身分証の例を図示した構成ブロック図である。
【図３ｂ】本発明による電子身分証の動作順序を図示した順序図である。
【図４ａ】本発明の出入管理システムに依る出国手順を図示した順序図である。
【図４ｂ】本発明の出入管理システムに依る入国手順を図示した順序図である。
【図５ａ】本発明による電子身分証を利用した出入統制装置の例である。
【図５ｂ】本発明による電子身分証を利用した出入統制装置の例である。
【図６】本発明による電子身分証を利用した身元照会手順を図示した順序図である。
【符号の説明】
【００５８】
１１  駐車場
１２  発券デスク（チェックインデスク）
１３  貨物デスク
１４  身元確認デスク
１５  搭乗確認デスク
１６  掲示板
１７  ゲート
２０  ブルートゥース通信モジュール（ＢＭ）
１００  携帯用電子身分証
１０２  入力部
１０４  電源部
１０６  表示部
１０８  データ／パワーバス
１１０  中央処理装置（ＣＰＵ）
１１２  ＲＯＭ
１１４  ＲＡＭ（又はフラッシュメモリ）
１２０  暗号処理部
１３０  ブルートゥース通信モジュール
１３２  ＲＦアンテナ
１４０  入出力部（Ｉ／Ｏ）
２０２  ブルートゥース通信網（ＬＡＮ）
２０４  有線／無線通信網（インターネット）
２１０−１  身元確認端末
２１０−２  搭乗確認端末
２１０−３  発券端末
２１０−４  掲示板
２２０  出国側出入管理サーバー
２３０  航空会社サーバー
２４０  入国側出入管理サーバー
２５０  旅行社サーバー
２６０  警察庁サーバー
５１０  出入統制端末
５２０  ドアロック装置
６１０  身元照会端末
【図１】
2005526326.tif 000003
【図２】
2005526326.tif 000004
【図３ａ】
2005526326.tif 000005
【図３ｂ】
2005526326.tif 000006
【図４ａ】
2005526326.tif 000007
【図４ｂ】
2005526326.tif 000008
【図５ａ】
2005526326.tif 000009
【図５ｂ】
2005526326.tif 000010
【図６】
2005526326.tif 000011
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
個人が携帯することができ、携帯する人の認識コードが記憶されてブルートゥース（ｂｌｕｅｔｏｏｔｈ）通信モジュールや接触式或いは有線通信ポートを通じて外部と通信できるように構成された携帯用電子身分証と、上記電子身分証のブルートゥース通信モジュールや接触式或いは有線通信ポートと通信できるように構成されると共に、出入地域に所定間隔で多数設置された通信モジュールと、出入者の身元を確認するための端末と、上記ブルートゥース通信モジュールより上記電子身分証に記憶された認識コードの伝送を受けて予め登録された情報と比較して予約確認、身元確認等を遂行すると共に、その情報を上記端末に提供する出入管理サーバーで構成される電子身分証を利用した出入管理システムに於いて、上記出入管理システムは、上記電子身分証を所持した使用者に案内情報を提供するための掲示板を更に具備して両方向に通信できることを特徴とする電子身分証を利用した出入管理システム。
【請求項２】
個人が携帯することができ、携帯する人の認識コードが記憶されてブルートゥース通信モジュールや接触式或いは有線通信ポートを通じて外部と通信できるように構成された携帯用電子身分証と、上記電子身分証のブルートゥース通信モジュールや接触式或いは有線通信ポートと通信できるように構成されると共に、出入地域に所定間隔で多数設置された通信モジュールと、出入者の身元を確認するための端末と、上記ブルートゥース通信モジュールより上記電子身分証に記憶された認識コードの伝送を受けて予め登録された情報と比較して予約確認、身元確認等を遂行すると共に、その情報を上記端末に提供する出入管理サーバーで構成される電子身分証を利用した出入管理システムに於いて、上記電子身分証は所定の認識情報が記憶されたメモリと、上記ブルートゥース通信モジュールに連結されて伝達されるデータを暗号化するための暗号化処理部と、所定の手順に従い上記メモリに記録された認識情報を上記暗号化処理部に伝達して上記ブルートゥース通信モジュールを通じて上記出入管理サーバーに伝送するように制御する中央処理装置で構成されたことを特徴とする電子身分証を利用した出入管理システム。
【請求項３】
上記電子身分証は、上記電子身分証を紛失した場合、他人が使用できないように秘密コードや使用者確認情報を入力できる入力部を更に具備し、上記中央処理装置は秘密コードや使用者確認情報が一致する場合にのみ動作するように制御することを特徴とする請求項２記載の電子身分証を利用した出入管理システム。
【請求項４】
個人が携帯できるように構成されると共に、携帯する人の認識コードが記憶されてブルートゥース通信モジュールや接触式或いは有線通信ポートを通じて外部と通信できるように構成された電子身分証と、上記電子身分証のブルートゥース通信モジュールや接触式或いは有線通信ポートと通信できるように構成されると共に、ドア近接位置に設置された多数の通信モジュールと、上記した通信モジュールで伝送された情報を予め記憶された記憶情報と比較してドアのロック装置をＯＮ／ＯＦＦさせることができるように設置された中央コンピュータで構成されたことを特徴とする電子身分証を利用した出入管理システム。
【国際調査報告】
2005526326.tif 000012